【手続補正書】
【提出日】平成15年12月4日(2003.12.4)
【手続補正１】
【補正対象書類名】明細書
【補正対象項目名】特許請求の範囲
【補正方法】変更
【補正の内容】
【特許請求の範囲】
【請求項１】
双方向性インターフェースを介してホストに接続される印刷装置であって、
前記ホストの使用する印刷制御情報の格納されたネットワーク上の位置情報を格納する格納手段と、
印刷制御情報を取得するためのホスト側の取得プログラムを起動して、前記位置情報を前記取得プログラムに入力するために、前記位置情報を前記ホストへと前記双方向インターフェースを介して送出する送出手段と
を備えることを特徴とする印刷装置。
【請求項２】
前記格納手段は、さらに印刷制御情報を特定する識別情報を格納することを特徴とする請求項１に記載の印刷装置。
【請求項３】
前記印刷制御情報は、前記印刷装置のセットアップユーティリティプログラムを含むことを特徴とする請求項１に記載の印刷装置。
【請求項４】
前記印刷制御情報は、前記印刷装置のドライバプログラムを含むことを特徴とする請求項１に記載の印刷装置。
【請求項５】
前記印刷制御情報は、前記印刷装置の印刷設定情報を含むことを特徴とする請求項１に記載の印刷装置。
【請求項６】
前記ホスト印刷情報は、前記印刷装置のマニュアルを含むドキュメントを含むことを特徴とする請求項１に記載の印刷装置。
【請求項７】
ネットワークと接続され、前記ネットワーク上における、印刷制御情報の格納された位置情報を格納した印刷装置と双方向性インターフェースを介して接続される印刷制御装置であって、
前記位置情報を前記印刷装置から獲得する獲得手段と、
前記印刷制御情報を取得するための取得プログラムを起動する起動制御手段と、
前記取得プログラムを用いて、前記獲得手段が獲得した前記位置情報で示されるネットワーク上の位置から、前記印刷制御情報を取得して読み出す読み出し手段とを備え、
前記読み出し手段により読み出した印刷制御情報を用いて前記印刷装置を制御することを特徴とする印刷制御装置。
【請求項８】
前記印刷装置はさらに印刷制御情報を特定する識別情報を格納し、前記獲得手段は、位置情報とともに前記識別情報を獲得して前記読み出し情報はその識別情報に対応する印刷制御情報を読み出すことを特徴とする請求項７に記載の印刷制御装置。
【請求項９】
前記読み出し手段により読み出した制御情報のうち、プログラムを実行可能にインストールする手段を更に備えることを特徴とする請求項７に記載の印刷制御装置。
【請求項１０】
双方向性インターフェースを介して互いに接続された印刷制御装置と印刷装置とを含む印刷システムであって、
前記ホストの使用する印刷制御情報の格納されたネットワーク上の位置情報を格納する印刷装置と、
前記位置情報を前記印刷装置から獲得して、取得プログラムを起動し、前記位置情報で示されるネットワーク上の位置から前記取得プログラムを用いて前記印刷制御情報を読み出し、該印刷制御情報を用いて前記印刷装置を制御することを特徴とする印刷制御装置とを含むことを特徴とする印刷システム。
【請求項１１】
ネットワークと接続され、前記ネットワーク上における印刷制御情報の格納された位置情報を有する印刷装置と双方向性インターフェースを介して接続されるホスト装置の制御方法であって、
前記位置情報を前記印刷装置から獲得する獲得工程と、
前記印刷制御情報を取得するための取得プログラムを起動する起動制御工程と、
前記取得プログラムを用いて、前記獲得手段が獲得した前記位置情報で示されるネットワーク上の位置から、前記印刷制御情報を取得して読み出す読み出し工程とを備え、
前記読み出し工程により読み出した印刷制御情報を用いて前記印刷装置を制御することを特徴とする印刷制御方法。
【請求項１２】
ネットワークと接続され、前記ネットワーク上における印刷制御情報の格納された位置情報を有する印刷装置と双方向性インターフェースを介して接続されるホストコンピュータにより実行されるプログラムを格納したコンピュータ可読の記憶媒体であって、
前記位置情報を前記印刷装置から獲得する獲得処理工程と、
前記印刷制御情報を取得するための取得プログラムを起動する起動制御工程と、
前記取得プログラムを用いて、前記獲得手段が獲得した前記位置情報で示されるネットワーク上の位置から、前記印刷制御情報を取得して読み出す読み出し工程とを含むことを特徴とするコンピュータ可読の記憶媒体。
【手続補正２】
【補正対象書類名】明細書
【補正対象項目名】００１２
【補正方法】変更
【補正の内容】
【００１２】
【課題を解決するための手段】
上記目的を達成する本発明は以下に示す構成を備える。
即ち、双方向性インターフェースを介してホストに接続される印刷装置であって、
前記ホストの使用する印刷制御情報の格納されたネットワーク上の位置情報を格納する格納手段と、
印刷制御情報を取得するためのホスト側の取得プログラムを起動して、前記位置情報を前記取得プログラムに入力するために、前記位置情報を前記ホストへと前記双方向インターフェースを介して送出する送出手段とを備える。


【手続補正３】
【補正対象書類名】明細書
【補正対象項目名】００１３
【補正方法】変更
【補正の内容】
【００１３】
さらに好ましくは、前記格納手段は、さらに印刷制御情報を特定する識別情報を格納する。
さらに好ましくは、前記印刷制御情報は、前記印刷装置のセットアップユーティリティプログラムを含む。
さらに好ましくは、前記印刷制御情報は、前記印刷装置のドライバプログラムを含む。
さらに好ましくは、前記印刷制御情報は、前記印刷装置の印刷設定情報を含む。
さらに好ましくは、前記ホスト印刷情報は、前記印刷装置のマニュアルを含むドキュメントを含む。
【手続補正４】
【補正対象書類名】明細書
【補正対象項目名】００１４
【補正方法】変更
【補正の内容】
【００１４】
或いは、ネットワークと接続され、前記ネットワーク上における、印刷制御情報の格納された位置情報を格納した印刷装置と双方向性インターフェースを介して接続される印刷制御装置であって、
前記位置情報を前記印刷装置から獲得する獲得手段と、
前記印刷制御情報を取得するための取得プログラムを起動する起動制御手段と、
前記取得プログラムを用いて、前記獲得手段が獲得した前記位置情報で示されるネットワーク上の位置から、前記印刷制御情報を取得して読み出す読み出し手段とを備え、
前記読み出し手段により読み出した印刷制御情報を用いて前記印刷装置を制御する。
【手続補正５】
【補正対象書類名】明細書
【補正対象項目名】００１５
【補正方法】変更
【補正の内容】
【００１５】
さらに好ましくは、前記印刷装置はさらに印刷制御情報を特定する識別情報を格納し、前記獲得手段は、位置情報とともに前記識別情報を獲得して前記読み出し情報はその識別情報に対応する印刷制御情報を読み出す。
さらに好ましくは、前記読み出し手段により読み出した制御情報のうち、プログラムを実行可能にインストールする手段を更に備える。
【手続補正６】
【補正対象書類名】明細書
【補正対象項目名】００１６
【補正方法】変更
【補正の内容】
【００１６】
或いは、双方向性インターフェースを介して互いに接続された印刷制御装置と印刷装置とを含む印刷システムであって、
前記ホストの使用する印刷制御情報の格納されたネットワーク上の位置情報を格納する印刷装置と、
前記位置情報を前記印刷装置から獲得して、取得プログラムを起動し、前記位置情報で示されるネットワーク上の位置から前記取得プログラムを用いて前記印刷制御情報を読み出し、該印刷制御情報を用いて前記印刷装置を制御することを特徴とする印刷制御装置とを含む。